(57)【特許請求の範囲】
【請求項１】
股間部の前側及び後側にそれぞれ延出する前側部分及び後側部分を有し、
少なくとも股間部から後側部分にかけて前後方向に延在する下層吸収体と、前記下層吸収体の表面側に、股間部から後側部分にかけて前後方向に延在する上層吸収体が設けられた吸収性物品において、
前記下層吸収体は、股間部を含む前後方向中間の所定部分が幅の狭い括れ部分として形成され、
前記下層吸収体の少なくとも括れ部分における幅方向中央線の左右両側に、下層吸収体の表裏面に貫通する第１スリットがそれぞれ延在し、前記第１スリットの前端側には、円弧状に前側に向かって下層吸収体の側端部に至る前側スリット部位が形成され、前記第１スリットの後端側には、円弧状に後側に向かって下層吸収体の側端部に至る後側スリット部位が形成され、
前記下層吸収体の表裏面に貫通する一対の第２スリットが、第１スリットから下層吸収体の側端部に向かって該一対の第２スリット間の前後方向の下層吸収体の間隔が狭くなるように、斜めにそれぞれ延在し、
前記第１スリットにおける前側スリット部位の後部から後側スリット部位の前部の間の部位及び前記第２スリットによって、前記下層吸収体の両側部分に両サイド部がそれぞれ分割され、
前記上層吸収体の表裏面に貫通する第３スリットが、上層吸収体の幅方向中央部分であって両サイド部の前側の箇所及び後側の箇所に、幅方向に沿ってそれぞれ複数本延在され、
前記両サイド部の前側の箇所に設けられた第３スリットの幅方向の長さが、両サイド部に近づくほど短く形成され、前記第３スリットの幅方向の両側部が第１スリットの前側スリット部位に重ならないように形成され、
前記両サイド部の後側の箇所に設けられた第３スリットの幅方向の長さが、両サイド部に近づくほど短く形成され、前記第３スリットの幅方向の両側部が第１スリットの後側スリット部位に重ならないように形成されたことを特徴とする吸収性物品。
【請求項２】
細長状弾性部材が、両サイド部の前側寄りの箇所及び後側寄りの箇所における前記下層吸収体の背面側部分に、幅方向に沿ってそれぞれ配置された請求項１記載の吸収性物品。
【発明の詳細な説明】
【技術分野】
【０００１】
本発明は、吸収性物品に関するものである。
【背景技術】
【０００２】
吸収性物品の内の就寝時に装着するような夜間パッドの使用状況としては種々のものが考えられるが、股間部が狭い人や動きが激しい人の場合には、夜間パッドの立体的な形状が維持できず、吸収体のよれや割れが発生し易くなるのに伴い、夜間パッドからの尿の漏れ出しが発生し易くなっている。つまり、吸収体によれや割れが発生した場合には、発生した部分から尿が伝って漏れ出すおそれがあった。この一方、この漏れ出しの防止を図ったものとして、下記特許文献１、２に開示されたものが知られている。
【０００３】
この特許文献１には、吸収体の幅方向中心から折曲線を入れて装着性を良くして、尿の漏れ出しを防止させる使い捨てパンツ型着用物が開示されているが、吸収体のよれや割れが発生し、やはり尿の伝い漏れが発生してしまうおそれがあった。また、特許文献２には、吸収体を分割して吸収体の端に弾性部材を配置することで、尿の漏れ出しを防止する使い捨ておむつが開示されているが、吸収体が肌面側に折れ曲る為、吸収体のよれや割れが発生してやはり尿の漏れ出しが発生してしまうおそれがあった。
【特許文献１】特開２００４−３１３６０１号公報
【特許文献２】特開２００５−３１２５５７号公報
【発明の開示】
【発明が解決しようとする課題】
【０００４】
すなわち、特許文献１、２に開示の技術であっても、よれや割れが吸収体に発生するのに伴い、やはり尿の漏れ出しが発生してしまうおそれがあった。
そこで、本発明の主たる課題は、立体形状を維持できてよれや割れが発生し難くなるのに伴い、漏れ出しが軽減される吸収性物品を提供することにある。
【課題を解決するための手段】
【０００５】
上記課題を解決した本発明は次記のとおりである。
＜請求項１記載の発明＞
股間部の前側及び後側にそれぞれ延出する前側部分及び後側部分を有し、
少なくとも股間部から後側部分にかけて前後方向に延在する下層吸収体と、前記下層吸収体の表面側に、股間部から後側部分にかけて前後方向に延在する上層吸収体が設けられた吸収性物品において、
前記下層吸収体は、股間部を含む前後方向中間の所定部分が幅の狭い括れ部分として形成され、
前記下層吸収体の少なくとも括れ部分における幅方向中央線の左右両側に、下層吸収体の表裏面に貫通する第１スリットがそれぞれ延在し、前記第１スリットの前端側には、円弧状に前側に向かって下層吸収体の側端部に至る前側スリット部位が形成され、前記第１スリットの後端側には、円弧状に後側に向かって下層吸収体の側端部に至る後側スリット部位が形成され、
前記下層吸収体の表裏面に貫通する一対の第２スリットが、第１スリットから下層吸収体の側端部に向かって該一対の第２スリット間の前後方向の下層吸収体の間隔が狭くなるように、斜めにそれぞれ延在し、
前記第１スリットにおける前側スリット部位の後部から後側スリット部位の前部の間の部位及び前記第２スリットによって、前記下層吸収体の両側部分に両サイド部がそれぞれ分割され、
前記上層吸収体の表裏面に貫通する第３スリットが、上層吸収体の幅方向中央部分であって両サイド部の前側の箇所及び後側の箇所に、幅方向に沿ってそれぞれ複数本延在され、
前記両サイド部の前側の箇所に設けられた第３スリットの幅方向の長さが、両サイド部に近づくほど短く形成され、前記第３スリットの幅方向の両側部が第１スリットの前側スリット部位に重ならないように形成され、
前記両サイド部の後側の箇所に設けられた第３スリットの幅方向の長さが、両サイド部に近づくほど短く形成され、前記第３スリットの幅方向の両側部が第１スリットの後側スリット部位に重ならないように形成されたことを特徴とする吸収性物品。
【０００６】
（作用効果）
下層吸収体の表裏面に貫通する第１スリットが、下層吸収体の少なくとも括れ部分における幅方向中央線の左右両側にそれぞれ延在されている。そして、下層吸収体の表裏面に貫通する一対の第２スリットが、第１スリットから下層吸収体の側端部に向かって先端側の間隔が狭くなるように、斜めにそれぞれ延在されている。これに伴い、これら第１スリット及び第２スリットによって、下層吸収体の両側部分に両サイド部がそれぞれ分割されて設けられている。
【０００７】
つまり、下層吸収体の股間部付近にスリットを入れて下層吸収体を分割することで、下層吸収体の中央部及び両サイド部が個々に変形して、下層吸収体が立体的に立ち上がり易くなり、股間をも含めた内腿に下層吸収体の形状が沿うようになるだけでなく、装着者の動きにより確実に追従するようになる。また、下層吸収体が立体的に立ち上がり易くなるのに伴い、吸収性物品の立体形状が維持し易くなると共に、下層吸収体によれや割れが発生し難くもなる結果として、股間部における漏れ出しが防止されて尿の漏れ出しが改善される。
以上より、本発明によれば、立体形状を維持できると共によれや割れを防止して、漏れ出しが軽減される吸収性物品となる。
また、股間部の下層吸収体を残した状態で下層吸収体にスリットを入れて下層吸収体を分割する事で内腿の形状に沿うようにさせているが、上層吸収体の幅方向中央部分であって両サイド部の前側の箇所及び後側の箇所に、幅方向に沿ってそれぞれ延在され、第３スリットの幅方向の長さが、両サイド部に近づくほど短くした第３スリットを上層吸収体に設けることで、下層吸収体がより立体的に立ち上がり易くなって、装着者の腹側の吸収性物品の浮き上がりが確実に防止されると共に、装着者の動きにより確実に追従できるようになる。
これに伴い、下層吸収体がより立体的に立ち上がり易くなる結果として、下層吸収体のよれや割れを更に抑制して、尿の漏れ出しが一層軽減されるようになる。
【０００８】
＜請求項２記載の発明＞
細長状弾性部材が、両サイド部の前側寄りの箇所及び後側寄りの箇所における前記下層吸収体の背面側部分に、幅方向に沿ってそれぞれ配置された請求項１記載の吸収性物品。
【０００９】
（作用効果）
上記のように細長状弾性部材が、両サイド部の前側寄りの箇所及び後側寄りの箇所に幅方向に沿ってそれぞれ配置されたことで、下層吸収体の中央部分がより隆起し易くなって立体形状が一層維持し易くなり、この結果として尿の漏れ出しが更に軽減される。
【００１０】
【００１１】
【発明の効果】
【００１２】
以上のとおり本発明によれば、立体形状を維持できてよれや割れが発生し難くなるのに伴い、漏れ出しが軽減される等の利点がもたらされる。
【図面の簡単な説明】
【００１３】
【図１】第１の実施の形態に係る吸収パッドの展開状態の内面側を示す平面図である。
【図２】第１の実施の形態に係る吸収パッドの要部のみを示す平面図である。
【図３】第１の実施の形態に係る吸収パッドの展開状態の背面を示す平面図である。
【図４】図１のＹ−Ｙ断面図である。
【図５】図１のＺ−Ｚ断面図である。
【図６】第１の実施の形態に係る吸収パッドの要部断面拡大図を模式的に示す図であって、（Ａ）は当初の状態を示す図であり、（Ｂ）は使用者の股間に装着した状態を示す図である。
【図７】第１の実施の形態に係る吸収パッドの展開状態を表わす写真を示す図である。
【図８】第２の実施の形態に係る吸収パッドの要部のみを示す平面図である。
【発明を実施するための最良の形態】
【００１４】
以下、本発明の第１の実施の形態について添付図面を参照しながら詳説する。なお、本発明の用語のうち「股間部」とは使用時に身体の股間と対応させる部分を意味し、製品によって、図示形態のように物品の前後方向中央若しくはその近傍から前側の所定部位までの範囲であったり、物品の前後方向中央の所定範囲であったりするものである。物品の前後方向中間あるいは吸収体の前後方向中間に幅の狭い括れ部分を有する場合は、いずれか一方又は両方の括れ部分の最小幅部位を前後方向中央とする所定の前後方向範囲を意味する。また、「前側部分（腹側部分）」は股間部よりも前側の部分を意味し、「後側部分（背側部分）」は股間部よりも後側の部分を意味する。「主吸収体の背面側部分」とは、下層吸収体に対する不透液性バックシート側の部分を意味する。
【００１５】
図１〜図５は、本発明に係る吸収パッド例２００を示している。この吸収パッド２００は、股間部Ｃ２と、その前後両側に延在する前側部分Ｆ２及び後側部分Ｂ２とを有するものである。各部の寸法は適宜定めることができ、例えば、物品全長（前後方向長さ）Ｍは３５０〜７００ｍｍ程度、全幅Ｗ１は１３０〜４００ｍｍ程度（ただし、おむつの吸収面の幅より広い）とすることができ、この場合における股間部Ｃ２の前後方向長さは１０〜１５０ｍｍ程度、前側部分Ｆ２の前後方向長さは５０〜３５０ｍｍ程度、及び後側部分Ｂ２の前後方向長さは５０〜３５０ｍｍ程度とすることができる。
【００１６】
吸収パッド２００は、外面に外装シート３２が積層された不透液性バックシート２１の内面と、透液性トップシート２２との間に、吸収体２３が介在された基本構造を有している。
【００１７】
吸収体２３の裏面側には、不透液性バックシート２１が吸収体２３の周縁より若干食み出すように設けられている。不透液性バックシート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００１８】
また、不透液性バックシート２１の外面は、不織布からなる外装シート３２により覆われており、この外装シート３２は、所定の食み出し幅をもってバックシート２１の周縁より外側に食み出している。外装シート３２としては各種の不織布を用いることができる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００１９】
吸収体２３の表面側は、透液性トップシート２２により覆われている。図示形態ではトップシート２２の側縁から吸収体２３が一部食み出しているが、吸収体２３の側縁が食み出さないようにトップシート２２の幅を広げることもできる。トップシート２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２０】
トップシート２２と吸収体２３との間には、中間シート２５を介在させるのが望ましい。この中間シート２５は、吸収体２３により吸収した尿の逆戻りを防止するために設けられるものであり、保水性が低く、且つ透液性の高い素材、例えばメッシュフィルム等を用いるのが望ましい。トップシート２２の前端を０％としトップシート２２の後端を１００％としたとき、中間シート２５の前端は０〜１１％の範囲に位置しているのが好ましく、中間シート２５の後端は９２〜１００％の範囲に位置しているのが好ましい。また、中間シート２５の幅２５ｗは後述する上層吸収体２３Ｕの幅Ｌ２の５０〜９０％程度であるのが好ましい。
【００２１】
吸収パッド２００の前後方向両端部では、外装シート３２および透液性トップシート２２が吸収体２３の前後端よりも前後両側にそれぞれ延在されて貼り合わされ、吸収体２３の存在しないエンドフラップ部ＥＦが形成されている。吸収パッド２００の両側部では、外装シート３２が吸収体２３の側縁よりも外側にそれぞれ延在され、この延在部からトップシート２２の側部までの部分の内面にはバリヤシート２４の幅方向外側の部分２４ｘが前後方向全体にわたり貼り付けられ、吸収体２３の存在しないサイドフラップ部ＳＦを構成している。これら貼り合わせ部分は、図１では点模様で示されており、ホットメルト接着剤、ヒートシール、超音波シールにより形成できる。これらエンドフラップ部ＥＦ及びサイドフラップ部ＳＦは、本発明の周縁部をなし、これらにより囲まれる部分が本発明の本体部をなす。外装シート３２を設けない場合、外装シート３２に代えて不透液性バックシート２１をサイドフラップ部ＳＦまで延在させ、サイドフラップ部ＳＦの外面側を形成することができる。
【００２２】
バリヤシート２４の素材としては、プラスチックシートやメルトブローン不織布を使用することもできるが、肌への感触性の点で、不織布にシリコンなどにより撥水処理をしたものが好適に使用される。
【００２３】
バリヤシート２４の幅方向中央側の部分２４ｃはトップシート２２上にまで延在しており、その幅方向中央側の端部には、細長状弾性部材２４Ｇが前後方向に沿って伸張状態でホットメルト接着剤等により固定されている。この細長状弾性部材２４Ｇとしては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００２４】
また、両バリヤシート２４，２４は、幅方向外側の部分２４ｘが前後方向全体にわたり物品内面（図示形態ではトップシート２２表面および外装シート３２内面）に貼り合わされて固定されるとともに、幅方向中央側の部分２４ｃが、前後方向の両端部では物品内面（図示形態ではトップシート２２表面）に貼り合わされて固定され、かつ前後方向の両端部間では物品内面（図示形態ではトップシート２２表面）に固定されていない。この非固定部分は、図１に示されるように、物品内面（図示形態ではトップシート２２表面）に対して起立可能なバリヤ部となる部分であり、その起立基端はバリヤシート２４における幅方向外側の固定部分２４ｘと内側の部分２４ｃとの境に位置する。
【００２５】
吸収体２３としては、パルプ繊維の積繊体、セルロースアセテート等のフィラメントの集合体、あるいは不織布を基本とし、必要に応じて粒子状等の高吸収性ポリマーを混合、固着等してなるものを用いることができる。高吸収性ポリマー粒子を混合する場合等、必要に応じて、吸収体２３はクレープ紙等の包装シート（図示せず）により包むことができる。また、吸収体２３の形状は、相対的に後側の部分が前側の部分よりも幅広な帯状、あるいは長方形状、台形状等、適宜の形状とすることができる。
【００２６】
吸収体２３は、下層吸収体２３Ｂの上に、下層吸収体２３Ｂの幅Ｌよりも幅Ｌ２が狭く且つ少なくとも股間部Ｃ２から後側部分Ｂ２にかけて前後方向に延在する上層吸収体２３Ｕが積層された二層構造となっている。上層吸収体２３Ｕの前後方向長さＭ４は下層吸収体２３Ｂの前後方向長さＭ３と同じであっても良いが、７０〜８５％程度とするのが望ましい。また、上層吸収体２３Ｕの全幅Ｌ２は下層吸収体２３Ｂの全幅Ｌの４０〜６０％程度とするのが望ましい。
【００２７】
吸収体２３における繊維目付け及び高吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。より詳細には、下層吸収体２３Ｂの繊維目付けは例えば８０〜４００ｇ／ｍ2程度、高吸収性ポリマーの目付けは例えば５０〜４００ｇ／ｍ2程度とすることができ、上層吸収体２３Ｕの繊維目付けは例えば８０〜３００ｇ／ｍ2程度、高吸収性ポリマーの目付けは例えば１０〜２００ｇ／ｍ2程度とすることができる。
【００２８】
下層吸収体２３Ｂは、股間部Ｃ２を含む前後方向中間の所定部分が幅の狭い括れ部分２３ｎとして形成されている。この括れ部分２３ｎの最小幅Ｌ３は、括れ部分２３ｎの前後に位置する非括れ部分の幅Ｌ１の５０〜６５％程度であるのが好ましい。また、物品前端を０％とし物品後端を１００％としたとき、括れ部分２３ｎの前端は１０〜２５％の範囲に位置しているのが好ましく、括れ部分２３ｎの後端は４０〜６５％の範囲に位置しているのが好ましく、括れ部分２３ｎの最小幅Ｌ３となる部位（最小幅部位）は２５〜３０％の範囲に位置しているのが好ましい。
【００２９】
図２に示すように、主吸収体である下層吸収体２３Ｂの中央部４１を挟んだ位置には、この下層吸収体２３Ｂの表裏面に貫通しつつ、吸収パッド２００の前後方向に沿って直線状に延在している一対の第１スリットである前後方向スリット４０Ａが、それぞれ設けられている。これら一対の前後方向スリット４０Ａの前後端側は、円弧状に外側に曲がって下層吸収体２３Ｂの括れ部分２３ｎが終わり始める吸収体２３の両側端部に繋がっている。
【００３０】
さらに、下層吸収体２３Ｂには、この下層吸収体２３Ｂの表裏面に貫通する各一対の第２スリットである斜方向スリット４０Ｂが、前後方向スリット４０Ａから下層吸収体２３Ｂの側端部に向かって先端側の間隔が狭くなるように、相互に逆方向の斜めにそれぞれ延在している。
従って、本実施の形態では、一対の前後方向スリット４０Ａ及び各一対の斜方向スリット４０Ｂにより、一対の分割スリット４０が構成されているが、この分割スリット４０が、下層吸収体２３Ｂの少なくとも括れ部分２３ｎにおける幅方向中央線の左右両側において、下層吸収体２３Ｂを分割している。
【００３１】
このことで、下層吸収体２３Ｂが、下層吸収体２３Ｂの中央に位置する中央部４１及び、この中央部４１の両側部に位置して一対の斜方向スリット４０Ｂに挟まれている両サイド部４２に、それぞれ分割されている他、両サイド部４２の前後に位置して、前後方向スリット４０Ａの円弧状に形成された部分と斜方向スリット４０Ｂとの間が、補助分割部４３に分割されている。
【００３２】
これに伴い、前後方向スリット４０Ａ及び斜方向スリット４０Ｂによって両サイド部４２がそれぞれ分割されて設けられているが、これら両サイド部４２は、一対の斜方向スリット４０Ｂが相互に逆方向の斜めに形成されていることから、三角形状になっているものの、台形状としても良く、また、一対の斜方向スリット４０Ｂは直線でなく曲線として三角形や台形に似た形状としても良い。
【００３３】
つまり、下層吸収体２３Ｂの股間部Ｃ２付近に分割スリット４０を入れることで、股間をも含めた内腿に吸収体２３の形状が沿うように、下層吸収体２３Ｂが分割されることになる。このことで、下層吸収体２３Ｂの中央部４１及び両サイド部４２が個々に変形して、図７に示すように下層吸収体２３Ｂが立体的に立ち上がり易くなり、股間をも含めた内腿に下層吸収体２３Ｂが沿うようになるだけでなく、装着者の動きにより追従するようになることで尿の漏れ出しが防止できるようになる。
【００３４】
尚この際、図６に示すように下層吸収体２３Ｂと上層吸収体２３Ｕとの間には、透液性の層間紙４６が配置されていて、前後方向スリット４０Ａ及び斜方向スリット４０Ｂの部分で、この層間紙４６が不透液性バックシート２１の表面にホットメルト接着剤、ヒートシール等による接着点４６Ａでしっかりと接着されている。この為、上記の両サイド部４２及び補助分割部４３が不用意にずれることがない。
【００３５】
また、分割スリット４０を股間から臀部にかけて配置することから、下層吸収体２３Ｂが立体的に立ち上がり易くなるのに伴い、吸収パッド２００の立体形状を維持し易くなると共に、上層吸収体２３Ｕをも含めた吸収体２３によれや割れが発生し難くもなる結果として、股間部Ｃ２における漏れ出しが確実に防止されて尿の漏れ出しが改善される。
以上より、本実施の形態によれば、立体形状を維持できると共に、よれや割れを防止して、漏れ出しが軽減される吸収パッド２００となる。
【００３６】
さらに、下層吸収体２３Ｂの中央部４１の図６における下側に位置する不透液性バックシート２１と外装シート３２との間の部分であって、図３に示す両サイド部４２の前側寄りの箇所及び後側寄りの箇所には、この中央部４１がより立体的に立ち上がるよう糸ゴムである細長状弾性部材４５が吸収パッド２００の幅方向に沿って、例えば各４本ずつ配設されている。このことで、細長状弾性部材４５の弾性により内腿の窪みに沿って吸収体２３の中央部４１が立体的に立ち上がり、下層吸収体２３Ｂの中央部分がより隆起し易くなって立体形状が一層維持し易くなり、この結果として尿の漏れ出しが更に軽減される。
【００３７】
つまり、細長状弾性部材４５の弾性により、図６（Ａ）に示す状態から装着に伴い、図６（Ｂ）に示すように股間に沿って前後方向スリット４０Ａの部分で折り曲がり、最終的に図７に示す状態のようになって、吸収体２３が立体的にカーブしつつ立ち上がり、装着者の体に沿うことになる。
【００３８】
この一方、本実施の形態の吸収パッド２００であれば、下層吸収体２３Ｂが分割されていて分割スリット４０の部分で折れやすくなっているので、股間部Ｃ２に対応する部分が分かりやすく、誰でも簡単に装着できるようになる。
【００３９】
次に、本発明の第２の実施の形態について、添付図面を参照しながら詳説する。尚、第１の実施の形態と同一の部材には同一の符号を付して、重複した説明を省略する。
図８に示すように本実施の形態は第１とほぼ同一の構造を有している。但し、本実施の形態では、上層吸収体２３Ｕの幅方向中央部分であって両サイド部４２の前側の箇所に、第３スリットである横方向スリット５０が３本設けられており、また、上層吸収体２３Ｕの幅方向中央部分であって両サイド部４２の後側の箇所にも、横方向スリット５０が３本設けられている。
【００４０】
そして、これら各横方向スリット５０は、各上層吸収体２３Ｕの表裏面に貫通しつつ、幅方向に沿ってそれぞれ延在されるような構造とされている。但し、これら前側の箇所及び後側の箇所の各３本の横方向スリット５０は、円弧状に外側に曲がっている前後方向スリット４０Ａの前後端側に対応してこの前後方向スリット４０Ａに重ならないように、外側の横方向スリット５０から内側の横方向スリット５０に向かって順次短く形成されている。
【００４１】
第１の実施形態では、股間部Ｃ２の下層吸収体２３Ｂを残した状態で下層吸収体２３Ｂに分割スリット４０を設けて下層吸収体２３Ｂを分割する事で、吸収体２３の形状を内腿により確実に沿うようにさせているが、装着時に脚によって押されて装着者の腹側部分から吸収パッド２００が浮いてしまい、吸収パッド２００と体との間に隙間が発生する事も考えられた。これに対して本実施の形態では、上記のように更に上層吸収体２３Ｕの幅方向中央部分であって両サイド部の前側の箇所及び後側の箇所に、幅方向に沿ってそれぞれ延在された横方向スリット５０を上層吸収体２３Ｕに設けている。
【００４２】
このことで、横方向スリット５０により吸収体２３の柔軟性が高まってより立体的に立ち上がり易くなって、装着者の腹側の吸収パッド２００の浮き上がりが防止されると共に、装着者の動きにより確実に追従できるようになる。これに伴い、上層吸収体２３Ｕがより立体的に立ち上がり易くなる結果として、吸収体２３のよれや割れを更に抑制して、尿の漏れ出しが一層軽減されるようになる。
【００４３】
尚、上記実施の形態においては、吸収体２３が下層吸収体２３Ｂと上層吸収体２３Ｕとからなる二層構造となっているが、吸収体２３を下層吸収体２３Ｂのみの一層構造としても良い。また、細長状弾性部材４５としては、他の細長状弾性部材と同様に、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
【００４４】
他方、上記実施の形態における不織布の材質としては、スパンレース、エアスルー、ポイントボンド、エアレイド、ニードルパンチ等が考えられ、その他の構成する素材としては、レーヨンやコットン等のセルロール繊維、ＰＰやＰＥ等のポリオレフィン、ＰＥＴ等のポリエステルやそれらの複合体が考えられる。
【産業上の利用可能性】
【００４５】
本発明は、吸収パッド、パンツタイプ若しくはテープタイプ使い捨ておむつ、または整理用ナプキン等、吸収性物品全般に利用できるものである。
【符号の説明】
【００４６】
２１…不透液性バックシート、２２…透液性トップシート、２３…吸収体、２３Ｕ…上層吸収体、２３Ｂ…下層吸収体、２４…バリヤシート、３２…外装シート、４０…分割スリット、４０Ａ…前後方向スリット、４０Ｂ…斜方向スリット、４１…中央部、４２…両サイド部、４５…細長状弾性部材、２００…吸収パッド。
【図１】
0005773665.tif 000002
【図２】
0005773665.tif 000003
【図３】
0005773665.tif 000004
【図４】
0005773665.tif 000005
【図５】
0005773665.tif 000006
【図６】
0005773665.tif 000007
【図８】
0005773665.tif 000008
【図７】
0005773665.tif 000009